(57)【要約】【課題】  この発明は、高輝度化および高コントラスト化が図れる自発光型ディスプレイの信号処理回路を提供することを目的とする。【解決手段】  自発光型ディスプレイの信号処理回路において、ＲＧＢ入力信号をＲＧＢＷ信号に変換するＲＧＢ−ＲＧＢＷ信号変換手段、ＲＧＢ−ＲＧＢＷ信号変換手段に入力されるＲＧＢ信号と、このＲＧＢ信号に対応するＲＧＢ−ＲＧＢＷ信号変換後のＲＧＢＷ信号のうちのＲＧＢ信号と、所与のゲインとに基づいて、ＲＧＢ−ＲＧＢＷ信号変換手段の入力される上記ＲＧＢ信号に同じ比率を乗じることによって得られるＲＧＢ毎の加算信号であって、かつゲインに比例したＲＧＢ毎の加算信号を算出する加算信号算出手段、ならびに加算信号算出手段によって算出されたＲＧＢ毎の加算信号を、ＲＧＢ−ＲＧＢＷ信号変換後の上記ＲＧＢＷ信号のうちのＲＧＢ信号に加算する加算手段を備えている。【選択図】  図２５
2006163068.tif 000002
【特許請求の範囲】
【請求項１】
１画素がＲＧＢＷの４つの単位画素から構成されており、ＲＧＢ単位画素には色フィルタが設けられ、Ｗ単位画素には色フィルタが設けられていない自発光型ディスプレイの信号処理回路において、
ＲＧＢ入力信号をＲＧＢＷ信号に変換するＲＧＢ−ＲＧＢＷ信号変換手段、
ＲＧＢ−ＲＧＢＷ信号変換手段に入力されるＲＧＢ信号と、このＲＧＢ信号に対応するＲＧＢ−ＲＧＢＷ信号変換後のＲＧＢＷ信号のうちのＲＧＢ信号と、所与のゲインとに基づいて、ＲＧＢ−ＲＧＢＷ信号変換手段の入力される上記ＲＧＢ信号に同じ比率を乗じることによって得られるＲＧＢ毎の加算信号であって、かつゲインに比例したＲＧＢ毎の加算信号を算出する加算信号算出手段、ならびに
加算信号算出手段によって算出されたＲＧＢ毎の加算信号を、ＲＧＢ−ＲＧＢＷ信号変換後の上記ＲＧＢＷ信号のうちのＲＧＢ信号に加算する加算手段、
を備えていることを特徴とする自発光型ディスプレイの信号処理回路。
【請求項２】
ＲＧＢ−ＲＧＢＷ信号変換手段の入力されるＲＧＢ信号をＲ１、Ｇ１、Ｂ１とし、このＲＧＢ信号に対応するＲＧＢ−ＲＧＢＷ信号変換後のＲＧＢＷ信号のうちのＲＧＢ信号をＲ２、Ｇ２、Ｂ２とすると、
加算信号算出手段は、
Ｒ２／Ｒ１、Ｇ２／Ｇ１、Ｂ２／Ｂ１のうちの最大値をとる信号（以下、基準信号という）に対応するＲＧＢ−ＲＧＢＷ信号変換後の信号値を、信号上限値から減算することにより、上記基準信号に対応する加算信号最大値を算出する手段、
上記基準信号に対応する加算信号最大値と、Ｒ１、Ｇ１、Ｂ１とに基づいて、他の２つの信号に対応する加算信号最大値を算出する手段、ならびに
上記基準信号に対応する加算信号最大値にゲインを乗算することにより、上記基準信号に対応する加算信号を算出するとともに、他の信号に対応する加算信号最大値にゲインを乗算することにより、他の信号に対応する加算信号を算出する手段、
を備えていることを特徴とする請求項１に記載の自発光型ディスプレイの信号処理回路。
【請求項３】
ＲＧＢ−ＲＧＢＷ信号変換手段の入力されるＲＧＢ信号をＲ１、Ｇ１、Ｂ１とし、このＲＧＢ信号に対応するＲＧＢ−ＲＧＢＷ信号変換後のＲＧＢＷ信号のうちのＲＧＢ信号をＲ２、Ｇ２、Ｂ２とすると、
加算信号算出手段は、
Ｒ２／Ｒ１、Ｇ２／Ｇ１、Ｂ２／Ｂ１のうちの最大値をとる信号（以下、基準信号という）に対応するＲＧＢ−ＲＧＢＷ信号変換後の信号値を、信号上限値から減算することにより、上記基準信号に対応する加算信号最大値を算出する手段、
上記基準信号に対応する加算信号最大値にゲインを乗算することにより、上記基準信号に対応する加算信号を算出する手段、ならびに
上記基準信号に対応する加算信号と、Ｒ１、Ｇ１、Ｂ１とに基づいて、他の２つの信号に対応する加算信号を算出する手段、
を備えていることを特徴とする請求項１に記載の自発光型ディスプレイの信号処理回路。
【請求項４】
ゲインが自発光型ディスプレイの周辺の照度に基づいて決定されることを特徴とする請求項１、２および３のいずれかに記載の自発光型ディスプレイの信号処理回路。
【請求項５】
ゲインがＲＧＢ−ＲＧＢＷ信号変換手段の入力されるＲＧＢ信号から得られる平均輝度または輝度積算値に基づいて決定されることを特徴とする請求項１、２、および３のいずれかに記載の自発光型ディスプレイの信号処理回路。
【発明の詳細な説明】
【技術分野】
【０００１】
この発明は、自発光型ディスプレイの信号処理回路に関する。
【背景技術】
【０００２】
有機ＥＬディスプレイ等の自発光型ディスプレイは、薄型、軽量、低消費電力などの特徴を有しており、用途が広がっている。ただし、携帯電話、デジタルスチルカメラなどの用途においては、更なる低消費電力化への要求が高い。
【０００３】
白発光材料にカラーフィルタが張りつけられている有機ＥＬディスプレイのような自発光型ディスプレイの場合、カラーフィルタを光が通過する際に光の一部がカラーフィルタに吸収されるため、光利用効率が悪くなっている。この光利用効率の低さが消費電力の低下を妨げている。
【０００４】
そこで、本出願人は、１画素がＲＧＢＷの４つの単位画素から構成されており、ＲＧＢ単位画素には色フィルタが設けられ、Ｗ単位画素には色フィルタが設けられていない自発光型ディスプレイの信号処理回路であって、低消費電力化が図れる自発光型デスプレイの信号処理回路を既に開発して、既に出願している。
【０００５】
本出願人が既に開発した自発光型ディスプレイの信号処理回路について説明する。本出願人が既に開発した自発光型ディスプレイの信号処理回路は、白発光材料にカラーフィルタが張りつけられている有機ＥＬディスプレイのような自発光型ディスプレイを対象としている。このように自発光型ディスプレイにおいて、図１に示すように、１画素を４つの単位画素で構成し、そのうちの３つの単位画素に３原色、たとえば、Ｒ（赤），Ｇ（緑），Ｂ（青）を表示するためのカラーフィルタを配置している。残りの１つの単位画素を、カラーフィルタを配置していない白（Ｗ）表示専用としている。
【０００６】
このようなＲＧＢＷ配列では、白表示専用の単位画素は、カラーフィルタが存在していないため、光の利用効率は非常に高い。したがって、例えば、白１００％を表示するときには、ＲＧＢ表示用の単位画素を発光させて白１００％を表示するのではなく、白表示専用の単位画素を発光させて白１００％を表示させれば、大幅な低消費電力化が図れる。
【０００７】
しかしながら、実際には、白発光材料によって得られる白の色度は、目標とする白の色度となっていない場合が多く、白表示専用の単位画素の白発光に対して、ＲＧＢ表示用の単位画素の発光を付加する必要がある。
【０００８】
そこで、白発光材料によって得られる白の色度が目標とする白の色度と異なる場合に、ＲＧＢ入力信号を、当該入力信号に対応する輝度および色度が同一でかつ低消費電力化が図れるＲＧＢＷ信号に変換するための信号処理の手法を開発した。
【０００９】
〔１〕表示装置の構成の説明
図２は、表示装置の構成を示している。
ＲＧＢ−ＲＧＢＷ信号変換回路１には、デジタルのＲＧＢ入力信号が入力される。ＲＧＢ−ＲＧＢＷ信号変換回路１は、ＲＧＢ入力信号をＲＧＢＷ信号に変換する。ＲＧＢ−ＲＧＢＷ信号変換回路１によって得られたＲＧＢＷ信号は、Ｄ／Ａ変換回路２によってアナログのＲＧＢＷ信号に変換される。Ｄ／Ａ変換回路２によって得られたＲＧＢＷ信号は、１画素がＲＧＢＷの４つの単位画素で構成された有機ＥＬディスプレイ３に送られる。
【００１０】
〔２〕ＲＧＢ−ＲＧＢＷ信号変換の基本的な考え方の説明
図３に示すような、ＲＧＢ入力信号を想定する。なお、説明の便宜上、ＲＧＢ入力信号には、予めガンマ補正がかけられていないものとする。また、ＲＧＢのみで目標の白の輝度および色度を実現するようなＲＧＢ輝度がＲＧＢの白側リファレンス輝度（Ｄ／Ａ変換回路２のＲＧＢに対する白側リファレンス電圧）として予め設定されているものとする。なお、Ｗの白側リファレンス輝度は、Ｗのみ表示したときに目標輝度（後述する図９のステップＳ４で決定されるＷの輝度）となるように調整される。
【００１１】
この例では、ＲＧＢ入力信号値は、８ビットで表され、Ｒ＝２００，Ｇ＝１００，Ｂ＝１７０であるとする。ＲＧＢ入力信号値の最小値は１００であるので、ＲＧＢ入力信号値を、図４に示すように、それらの最小値（ｍｉｎ（ＲＧＢ））と、図５に示すように、残りの値（入力信号−ｍｉｎ（ＲＧＢ））とに分解する。図４の場合、ＲＧＢ入力信号値が全て１００の場合の目標の白Ｗt （１００）と等価となっている。
【００１２】
ＲＧＢ入力信号値が全て２５５の場合の目標の白Ｗt （２５５）を表現するためのＲＧＢＷの信号値が図６に示すような信号値（７７，０，２０４，２５５）であるとすると、ＲＧＢ入力信号値が全て１００の場合の目標の白Ｗt （１００）を実現するためのＲＧＢＷの信号値は図７に示すようになる。
【００１３】
図６に示すような信号値については、目標白を実現するためのＲＧＢ輝度値およびＲＧＢＷ輝度値から求めることができる。ＲＧＢ入力信号値が全て２５５の場合の目標白を実現するためのＲＧＢＷ信号値を（Ｒ１，Ｇ１，Ｂ１，Ｗ１）とする。目標白の輝度および色度を実現するためのＲＧＢ輝度値を（ＬＲ１，ＬＧ１，ＬＢ１）、目標白の輝度および色度を実現するためのＲＧＢＷ輝度値を（ＬＲ２，ＬＧ２，ＬＢ２，ＬＷ２）とすると、ＲＧＢ入力信号値が全て２５５の場合の目標白を実現するためのＲＧＢＷ信号値は、（Ｒ１＝２５５×ＬＲ２／ＬＲ１，Ｇ１＝２５５×ＬＧ２／ＬＧ１，Ｂ１＝２５５×ＬＢ２／ＬＢ１，Ｗ１＝２５５）となる。特に、Ｗに関しては、ＲＧＢＷ表示系のみでしか定義できないので、一意に２５５となる。なお、目標白の輝度および色度を実現するためのＲＧＢ輝度値およびＲＧＢＷ輝度値の求め方については後述する。
【００１４】
図７のＲ，Ｇ，Ｂ，Ｗは、次式（１）によって求められる。
【００１５】
Ｒ＝７７×１００／２５５＝３０
Ｇ＝０×１００／２５５＝０
Ｂ＝２０４×１００／２５５＝８０
Ｗ＝２５５×１００／２５５＝１００        …（１）
【００１６】
そこで、図４のＲＧＢ値を、図７のＲＧＢＷ値と置き換える。したがって、図３に示すＲＧＢ値は、図５のＲＧＢ値と図７のＲＧＢＷ値とを加算することにより、図８に示すＲＧＢＷ値に変換される。
【００１７】
図８のＲ，Ｇ，Ｂ，Ｗは、次式（２）によって求められる。
【００１８】
Ｒ＝１００＋３０＝３０
Ｇ＝０＋０＝０
Ｂ＝７０＋８０＝１５０
Ｗ＝０＋１００＝１００      …（２）
【００１９】
ＲＧＢの白側リファレンス輝度（目標白の輝度および色度を実現するためのＲＧＢ輝度値）、目標白の輝度および色度を表現するためのＲＧＢＷの輝度値、ならびにＲＧＢ入力信号値が全て２５５の場合の目標白を実現するためのＲＧＢＷ信号値は、予めパネル調整処理によって求められている。
【００２０】
〔３〕第１のＲＧＢ−ＲＧＢＷ信号変換処理についての説明
【００２１】
図９は、パネル調整処理手順を示している。
【００２２】
目標の白Ｗt の輝度ＬWtおよび色度座標（ｘWt，ｙWt  ）を設定する（ステップＳ１）。
【００２３】
次に、有機ＥＬディスプレイ３のＲＧＢＷの色度を測定する（ステップＳ２）。例えば、Ｒの色度を測定する場合には、有機ＥＬディスプレイ３のＲ表示用の単位画素のみを発光させて、その色度を光学測定器によって測定する。測定されたＲＧＢＷの色度座標を、それぞれ（ｘR ，ｙR ），（ｘG ，ｙG ），（ｘB ，ｙB ），（ｘW ，ｙW ）とする。
【００２４】
次に、ＲＧＢによるホワイトバランス（ＷＢ）調整時のＲＧＢの輝度値を算出する（ステップＳ３）。つまり、ＲＧＢの３色によって、目標の白Ｗt の輝度ＬWtおよび色度（ｘWt，ｙWt  ）を表現する際のＲＧＢの輝度値ＬR （上記ＬＲ１に相当する），ＬG （上記ＬＧ１に相当する），ＬB （上記ＬＢ１に相当する）を算出する。この輝度値ＬR ，ＬG ，ＬB は、次式（３）から求められる。
【００２５】
【数１】
2006163068.tif 000003
【００２６】
ただし、ｚR ＝１−ｘR −ｙR 、ｚG ＝１−ｘG −ｙG 、ｚB ＝１−ｘB −ｙB 、ｚWt＝１−ｘWt−ｙWtである。
【００２７】
次に、ＲＧＢＷによるホワイトバランス（ＷＢ）調整時のＲＧＢＷの輝度値を算出する（ステップＳ４）。つまり、ＲＧＢＷの４色によって、目標の白Ｗt の輝度ＬWtおよび色度（ｘWt，ｙWt  ）を表現する際のＲＧＢＷの輝度値ＬR （上記ＬＲ２に相当する），ＬG （上記ＬＧ２に相当する），ＬB （上記ＬＢ２に相当する），ＬW （上記ＬＷ２に相当する）を算出する。
【００２８】
ＲＧＢＷの色度座標（ｘR ，ｙR ），（ｘG ，ｙG ），（ｘB ，ｙB ），（ｘW ，ｙW ）と、目標の白Ｗt の色度座標（ｘWt，ｙWt  ）とが、図１０に示すような関係にあるとすると、目標の白Ｗt の色度を、ＲＢＷの３色のみによって表現することが可能である。ＲＢＷの３色によって、目標の白Ｗt の輝度ＬWtおよび色度（ｘWt，ｙWt  ）を表現する際のＲＢＷの輝度値ＬR （上記ＬＲ２に相当），ＬB （上記ＬＢ２に相当），ＬW （上記ＬＷ２に相当）は、次式（４）から求められる。この場合、上記ＬＧ２に相当するＬG は０である。
【００２９】
【数２】
2006163068.tif 000004
【００３０】
ただし、ｚR ＝１−ｘR −ｙR 、ｚW ＝１−ｘW −ｙW 、ｚB ＝１−ｘB −ｙB 、ｚWt＝１−ｘWt−ｙWtである。
【００３１】
次に、上記ステップＳ３の算出結果を用いて、ＲＧＢの白側リファレンス輝度を算出する（ステップＳ５）。
【００３２】
ＲＧＢ入力信号値が８ビットで表される場合、ＲＧＢの白側リファレンス輝度は、ＲＧＢ信号として（２５５，２５５，２５５）を入力したときに、発光輝度および発光色が目標の白Ｗt の輝度ＬWtおよび色度（ｘWt，ｙWt  ）となるように調整される。つまり、ＲＧＢ信号として（２５５，２５５，２５５）を入力したときに、ＲＧＢの輝度がそれぞれ上記ステップＳ３で算出した輝度値ＬR ，ＬG ，ＬB となるように、ＲＧＢの白側リファレンス輝度が調整される。このようにＲＧＢの白側リファレンス輝度が調整されると、入力ＲＧＢ信号が同値の場合、発光色は必ず目標の白の色度となる。なお、Ｗの白側リファレンス輝度は、Ｗのみ表示したときに目標輝度（図９のステップＳ４で決定されたＷの輝度値ＬW ）となるように調整される。
【００３３】
なお、ＲＧＢ入力信号値が全て２５５の場合の目標白Ｗt （２５５）を実現するためのＲＧＢＷ信号値は、パネル調整処理のステップＳ３で算出された輝度値ＬR （上記ＬＲ１に相当する），ＬG （上記ＬＧ１に相当する），ＬB （上記ＬＢ１に相当する）と、上記ステップＳ４で算出された輝度値ＬR （上記ＬＲ２に相当する），ＬG （上記ＬＧ２に相当する），ＬB （上記ＬＢ２に相当する），ＬW （上記ＬＷ２に相当する）から予め算出される。
【００３４】
図１１は、ＲＧＢ入力信号をＲＧＢＷ信号に変換するための信号変換処理の手順を示している。
【００３５】
まず、ＲＧＢ入力信号中の最小値（ｍｉｎ（ＲＧＢ））を決定する（ステップＳ１１）。図３の例では、ｍｉｎ（ＲＧＢ）＝１００となる。
【００３６】
次に、各ＲＧＢ入力信号からｍｉｎ（ＲＧＢ）を減算する（ステップＳ１２）。図３の例では、図５に示すように、ＲＧＢに対する減算結果は、それぞれ１００，０，７０となる。
【００３７】
次に、ｍｉｎ（ＲＧＢ）を、ＲＧＢ入力信号値が全て２５５の場合の目標の白Ｗt （２５５）を表現するためのＲＧＢＷの信号値を用いて、ＲＧＢＷ信号に変換する（ステップＳ１３）。目標の白Ｗt （２５５）を表現するためのＲＧＢＷの信号値が、図６で示すような信号値であるとすると、図３の例では、ｍｉｎ（ＲＧＢ）に対応するＲＧＢＷ信号の信号値は図７に示すようなる。
【００３８】
次に、上記ステップＳ１２で算出した減算値｛ＲＧＢ−ｍｉｎ（ＲＧＢ）｝に上記ステップＳ１３で求められたＲＧＢＷ信号の信号値を加算することにより、ＲＧＢ入力信号に対応するＲＧＢＷ信号を算出する（ステップＳ１４）。図３の例では、ＲＧＢ入力信号に対応するＲＧＢＷ信号は図８に示すようになる。
【００３９】
〔４〕第２のＲＧＢ−ＲＧＢＷ信号変換処理の説明
【００４０】
目標の白の色度をＲＢＷの３色のみによって表現することが可能な場合においてＲＧＢ入力信号の中の最小値がＧ信号である場合には、図１１のステップＳ１１〜ステップＳ１４の処理（ＲＧＢ−ＲＧＢＷ変換ルーチン）によって、ＲＧＢ信号の１つの信号（Ｇ信号）が０となるＲＧＢＷ信号が得られる。
【００４１】
同様に、目標の白の色度をＲＧＷの３色のみによって表現することが可能な場合においてＲＧＢ入力信号の中の最小値がＢ信号である場合にも、図１１のステップＳ１１〜ステップＳ１４の処理（ＲＧＢ−ＲＧＢＷ変換ルーチン）によって、ＲＧＢ信号の１つの信号（Ｂ信号）が０となるＲＧＢＷ信号が得られる。また、目標の白の色度をＧＢＷの３色のみによって表現することが可能な場合においてＲＧＢ入力信号の中の最小値がＲ信号である場合にも、図１１のステップＳ１１〜ステップＳ１４の処理（ＲＧＢ−ＲＧＢＷ変換ルーチン）によって、ＲＧＢ信号の１つの信号（Ｒ信号）が０となるＲＧＢＷ信号が得られる。
【００４２】
しかしながら、目標の白の色度をＲＢＷの３色のみによって表現することが可能な場合においてＲＧＢ入力信号の中の最小値がＧ信号以外の色の信号である場合、目標の白の色度をＲＧＷの３色のみによって表現することが可能な場合においてＲＧＢ入力信号の中の最小値がＢ信号以外の色の信号である場合、および目標の白の色度をＧＢＷの３色のみによって表現することが可能な場合においてＲＧＢ入力信号の中の最小値がＲ信号以外の色の信号である場合には、図１１のステップＳ１１〜ステップＳ１４の処理（ＲＧＢ−ＲＧＢＷ変換ルーチン）を１回行うだけでは、得られたＲＧＢＷ信号におけるＲＧＢ信号中の１つの信号が０とならない。
【００４３】
つまり、条件によっては、ＲＧＢ−ＲＧＢＷ変換ルーチンを１回行うだけでは、得られたＲＧＢＷ信号におけるＲＧＢ信号中の１つの信号が０とならない。
【００４４】
ＲＧＢＷ信号におけるＲＧＢ信号中の１つの信号が０となるように、ＲＧＢ入力信号をＲＧＢＷ信号に変換した方が、Ｗ信号の大きさが大きくなり、発光効率が高くなり、低消費電力化が図れる。
【００４５】
そこで、第２のＲＧＢ−ＲＧＢＷ信号変換処理では、条件にかかわらず、ＲＧＢ信号中の１つの信号が０となるようなＲＧＢＷ信号が得られる信号変換方法を提案する。
【００４６】
図１２は、ＲＧＢ入力信号をＲＧＢＷ信号に変換するための第２のＲＧＢ−ＲＧＢＷ信号変換処理の手順を示している。
【００４７】
ＲＧＢ入力信号値が全て２５５の場合の目標の白Ｗt （２５５）を表現するためのＲＧＢＷの信号値が図６で示すような信号値であるとする。
【００４８】
まず、ＲＧＢ入力信号中の最小値（ｍｉｎ（ＲＧＢ））を決定する（ステップＳ２１）。図１３に示すように、ＲＧＢ入力信号値が、Ｒ＝２００，Ｇ＝１７０，Ｂ＝１００であるとすると、図１５に示すように、ｍｉｎ（ＲＧＢ）＝１００となる。
【００４９】
次に、各ＲＧＢ入力信号からｍｉｎ（ＲＧＢ）を減算する（ステップＳ２２）。図１３の例では、図１４に示すように、ＲＧＢに対する減算結果は、それぞれ１００，７０，０となる。つまり、ＲＧＢ入力信号は、図１４のＲＧＢ信号値と、図１５のＲＧＢ信号値とに分解される。
【００５０】
次に、ｍｉｎ（ＲＧＢ）を、ＲＧＢ入力信号値が全て２５５の場合の目標の白Ｗt （２５５）を表現するためのＲＧＢＷの信号値を用いて、ＲＧＢＷ信号に変換する（ステップＳ２３）。目標白Ｗt （２５５）を実現するためのＲＧＢＷ信号値が、図６で示すような信号値であるとすると、図１３の例では、ｍｉｎ（ＲＧＢ）に対応するＲＧＢＷ信号の信号値は図１６（図７と同じ）に示すようなる。
【００５１】
次に、上記ステップＳ２２で求められた減算値｛ＲＧＢ−ｍｉｎ（ＲＧＢ）｝に上記ステップＳ２３で求められたＲＧＢＷ信号の信号値を加算することにより、ＲＧＢ入力信号に対応するＲＧＢＷ信号を算出する（ステップＳ２４）。図１３の例では、ＲＧＢ入力信号に対応するＲＧＢＷ信号は図１７に示すようになる。
【００５２】
図１７のＲ，Ｇ，Ｂ，Ｗは、次式（５）によって求められる。
【００５３】
Ｒ＝１００＋３０＝１３０
Ｇ＝７０＋０＝７０
Ｂ＝０＋８０＝８０
Ｗ＝０＋１００＝１００      …（５）
【００５４】
次に、得られたＲＧＢＷ信号におけるＲＧＢ信号の最小値が０であるか否かを判別する（ステップＳ２５）。得られたＲＧＢＷ信号におけるＲＧＢ信号の最小値が０である場合には、信号変換処理を終了する。つまり、上記ステップＳ２４で得られたＲＧＢＷ信号がＲＧＢＷ出力信号となる。
【００５５】
得られたＲＧＢＷ信号におけるＲＧＢ信号の最小値が０でない場合には、得られたＲＧＢＷ信号を入力ＲＧＢＷ信号と見做して、上記ステップＳ２１〜Ｓ２４で行った処理（ＲＧＢ−ＲＧＢＷ変換ルーチン）と同様な処理を再度行う。
【００５６】
つまり、ＲＧＢＷ信号におけるＲＧＢ信号の最小値が０でない場合には、図１８に示すように、得られたＲＧＢＷ信号をＲ1 Ｇ1 Ｂ1 Ｗ1 入力信号とする。そして、Ｒ1 Ｇ1 Ｂ1 入力信号中の最小値（ｍｉｎ（Ｒ1 Ｇ1 Ｂ1 ））を決定する（ステップＳ２６）。図１８に示すように、Ｒ1 Ｇ1 Ｂ1 Ｗ1 入力信号が、Ｒ＝１３０，Ｇ＝７０，Ｂ＝８０，Ｗ＝１００であるとすると、図２０に示すように、ｍｉｎ（Ｒ1 Ｇ1 Ｂ1 ）＝７０となる。
【００５７】
次に、各Ｒ1 Ｇ1 Ｂ1 入力信号からｍｉｎ（Ｒ1 Ｇ1 Ｂ1 ）を減算する（ステップＳ２７）。図１８の例では、図１９に示すように、ＲＧＢに対する減算結果は、それぞれ６０、０、１０となる。つまり、Ｒ1 Ｇ1 Ｂ1 入力信号は、図１９のＲ1 Ｇ1 Ｂ1 信号値と、図２０のＲ1 Ｇ1 Ｂ1 信号値とに分解される。
【００５８】
次に、ｍｉｎ（Ｒ1 Ｇ1 Ｂ1 ）を、ＲＧＢ入力信号値が全て２５５の場合の目標の白Ｗt （２５５）を表現するためのＲＧＢＷの信号値を用いて、ＲＧＢＷ信号に変換する（ステップＳ２８）。目標白Ｗt （２５５）を実現するためのＲＧＢＷ信号値が、図６で示すような信号値であるとすると、図２０の例では、ｍｉｎ（Ｒ1 Ｇ1 Ｂ1 ）に対応するＲＧＢＷ信号の信号値は図２１に示すようなる。
【００５９】
図２１のＲ，Ｇ，Ｂ，Ｗは、次式（６）によって求められる。
【００６０】
Ｒ＝７７×７０／２５５＝２１
Ｇ＝０×７０／２５５＝０
Ｂ＝２０４×７０／２５５＝５６
Ｗ＝２５５×７０／２５５＝７０      …（６）
【００６１】
次に、上記ステップＳ２７で算出された減算値｛Ｒ1 Ｇ1 Ｂ1 −ｍｉｎ（Ｒ1 Ｇ1 Ｂ1 ）｝に上記ステップＳ２８で求められたＲＧＢＷ信号中のＲＧＢ信号値を加算することによりＲＧＢ信号を求めるとともに、Ｒ1 Ｇ1 Ｂ1 Ｗ1 入力信号中のＷ1 に上記ステップＳ２８で求められたＲＧＢＷ信号中のＷ信号値を加算することによりＷ信号を求める（ステップＳ２９）。このようにしてＲＧＢＷ信号が得られる。
【００６２】
上記の例では、ＲＧＢＷ信号は図２２に示すようになる。図２２のＲ，Ｇ，Ｂ，Ｗは、次式（７）によって求められる。
【００６３】
Ｒ＝６０＋２１＝８１
Ｇ＝０＋０＝０
Ｂ＝１０＋５６＝６６
Ｗ＝１００＋７０＝１７０      …（７）
【００６４】
次に、上記ステップＳ２９で求められたＲＧＢＷ信号におけるＲＧＢ信号の最小値が０であるか否かを判別する（ステップＳ３０）。得られたＲＧＢＷ信号におけるＲＧＢ信号の最小値が０である場合には、信号変換処理を終了する。
【００６５】
得られたＲＧＢＷ信号におけるＲＧＢ信号の最小値が０でない場合には、上記ステップＳ２６に戻る。つまり、得られたＲＧＢＷ信号におけるＲＧＢ信号の最小値が０となるまで、ＲＧＢ−ＲＧＢＷ変換ルーチンが繰り返し行われる。
〔５〕第３のＲＧＢ−ＲＧＢＷ信号変換処理の説明
【００６６】
上記第１のＲＧＢ−ＲＧＢＷ信号変換処理で説明したように、条件によっては、ｍｉｎ（ＲＧＢ）を減算することによって０にした信号が、その後のｍｉｎ（ＲＧＢ）からＲＧＢＷ信号への変換によって、１以上の値を持つことがある。このような場合には、上記第２のＲＧＢ−ＲＧＢＷ信号変換処理で説明したように、ＲＧＢ−ＲＧＢＷ変換ルーチンが繰り返し行われる。
【００６７】
第３のＲＧＢ−ＲＧＢＷ信号変換処理では、ＲＧＢ−ＲＧＢＷ変換ルーチンを１回実行することによって、条件にかかわらず、ＲＧＢ信号のうちの少なくとも１つが０となるＲＧＢＷ信号が得られる信号変換方法を提案する。
【００６８】
ＲＧＢ信号中の１つの信号に着目して、信号変換の過程について説明する。着目している信号を常にｍｉｎ（ＲＧＢ）として取り扱うようにし、またｍｉｎ（ＲＧＢ）のＲＧＢＷ信号への変換によって、当該信号に当該変換後のＷ信号の０．８割程度がフィードバックされてくると仮定すると、着目している信号は、たとえば、初期値を５０とすると、次式（８）に示すように、ＲＧＢ−ＲＧＢＷ変換ルーチンの実行回数に応じて変化する。
【００６９】
５０→４０→３２→２５．６→２０．５→１６．４→１３．１…→０    …（８）
【００７０】
この場合、Ｗ信号は、上記式（８）の全ての数値を加算した値となり、初項５０、公比０．８の無限等比級数の和として求めることができる。−１＜公比＜１の場合には、無限等比級数の和は、次式（９）のように簡略することができる。
【００７１】
無限等比級数の和＝初項／（１−公比）        …（９）
【００７２】
したがって、無限等比級数が上記式（８）で表される場合には、無限等比級数の和は、５０／（１−０．８）＝２５０となる。
【００７３】
実際の系では、ＲＧＢ信号毎に上記のような無限等比級数の和を算出し、そのうちの最小のものをｍｉｎ（ＲＧＢ）として、ＲＧＢ−ＲＧＢＷ変換ルーチンを１回実行する。この結果、得られたＲＧＢＷ信号におけるＲＧＢ信号のうちの１つが０となり、他の２つが０以上の値となる。
【００７４】
ＲＧＢ入力信号値が、Ｒ＝２５５，Ｇ＝２５５，Ｂ＝５０の場合を例にとって説明する。
【００７５】
ＲＧＢ入力信号値が全て２５５の場合の目標の白Ｗt （２５５）を表現するためのＲＧＢＷ信号の信号値が図６に示すような場合を想定すると、ｍｉｎ（ＲＧＢ）のＲＧＢＷ信号への変換による、ＲＧＢ信号のフィードバック率は０．３（＝図６のＲ／図６のＷ＝７７／２５５），０（＝図６のＧ／図６のＷ），０．８（＝図６のＢ／図６のＷ＝２０４／２５５）となる。
【００７６】
Ｒ，Ｇ，Ｂに対応する無限等比級数の和をΣＲ，ΣＧ，ΣＢとすると、ΣＲ，ΣＧ，ΣＢは、次式（１０）のようになる。
【００７７】
ΣＲ＝２５５／（１−０．３）＝３６４
ΣＧ＝２５５／（１−０）＝２５５
ΣＢ＝５０／（１−０．８）＝２５０      …（１０）
【００７８】
最小値は２５０となるので、２５０をＲＧＢ入力信号値から減算すると、その減算結果は、次式（１１）のようになる。
【００７９】
Ｒ＝２５５−２５０＝５
Ｇ＝２５５−２５０＝５
Ｂ＝５０−２５０＝−２００    …（１１）
【００８０】
一方、ｍｉｎ（ＲＧＢ）（＝２５０）をＲＧＢＷ信号に変換すると、次式（１２）のようになる。
【００８１】
Ｒ＝２５０×０．３＝７５
Ｇ＝２５５×０＝０
Ｂ＝５０×０．８＝２００
Ｗ＝２５０                    …（１２）
【００８２】
したがって、ＲＧＢＷ出力信号は、次式（１３）のようになる。
【００８３】
Ｒ＝５＋７５＝８０
Ｇ＝５＋０＝５
Ｂ＝−２００＋２００＝０
Ｗ＝２５０                    …（１３）
【００８４】
図２３は、ＲＧＢ入力信号をＲＧＢＷ信号に変換するための第３のＲＧＢ−ＲＧＢＷ信号変換処理の手順を示している。
【００８５】
ＲＧＢ入力信号値が全て２５５の場合の目標の白Ｗt （２５５）を表現するためのＲＧＢＷの信号値を用いて、ＲＧＢ信号のフィードバック率を算出する（ステップＳ４１）。目標白Ｗt （２５５）を実現するためのＲＧＢＷ信号値が、図６で示すような信号値であるとすると、ＲＧＢ信号のフィードバック率は、０．３（＝７７／２５５），０，０．８（＝２０４／２５５）となる。
【００８６】
次に、ＲＧＢ入力信号毎に、ＲＧＢ入力信号値を初項とし、上記ステップＳ４１で算出したフィードバック率を公比とする無限等比級数の和ΣＲ，ΣＧ，ΣＢを算出する（ステップＳ４２）。
【００８７】
次に、ＲＧＢ入力信号毎に算出された無限等比級数の和ΣＲ，ΣＧ，ΣＢのうちの最小値を、ｍｉｎ（ＲＧＢ）として、ＲＧＢ入力信号から減算する（ステップＳ４３）。
【００８８】
次に、ｍｉｎ（ＲＧＢ）を、ＲＧＢ入力信号値が全て２５５の場合の目標の白Ｗt （２５５）を表現するためのＲＧＢＷの信号値を用いて、ＲＧＢＷ信号に変換する（ステップＳ４４）。
【００８９】
次に、上記ステップＳ４３で求められた減算値｛ＲＧＢ−ｍｉｎ（ＲＧＢ）｝に上記ステップＳ４４で求められたＲＧＢＷ信号の信号値を加算することにより、ＲＧＢ入力信号に対応するＲＧＢＷ信号を求める（ステップＳ４５）。
【００９０】
ところで、ＲＧＢ入力信号には、予めガンマ補正がかけられている場合がある。このような場合には、図２のＲＧＢ−ＲＧＢＷ変換回路１には、信号処理の簡略化のためガンマ補正前のＲＧＢ信号が入力されることが好ましい。そこで、図２４に示すように、ＲＧＢ−ＲＧＢＷ変換回路１の前段に、予めガンマ補正がかけられているＲＧＢ入力信号に対して逆ガンマ補正を行うことにより、ＲＧＢ入力信号をガンマ補正前のＲＧＢ信号に変換する逆ガンマ補正回路１１を配置するとともに、ＲＧＢ−ＲＧＢＷ変換回路１の後段に、ＲＧＢ−ＲＧＢＷ変換回路１から出力されるＲＧＢＷ信号に対して、有機ＥＬディスプレイ３のパネル特性に応じたガンマ補正を行うガンマ補正回路１２を配置することが好ましい。このようにすると、ＲＧＢ−ＲＧＢＷ変換回路１での各種計算は、上記第１〜第３のＲＧＢ−ＲＧＢＷ信号変換処理で説明した計算方法をそのまま用いることが可能となる。つまり、第１〜第３のＲＧＢ−ＲＧＢＷ信号変換処理における”ＲＧＢ入力信号”として、逆ガンマ補正回路１１から出力されるＲＧＢ信号が用いられる。
【特許文献１】特開平１１−２９５７１７号公報
【発明の開示】
【発明が解決しようとする課題】
【００９１】
上述したように、本出願人は、ＲＧＢ入力信号を、当該入力信号に対応する輝度および色度が同一でかつ低消費電力化が図れるＲＧＢＷ信号に変換するためのＲＧＢ−ＲＧＢＷ信号変換回路を既に開発している。
【００９２】
この発明は、１画素がＲＧＢＷの４つの単位画素から構成されており、ＲＧＢ単位画素には色フィルタが設けられ、Ｗ単位画素には色フィルタが設けられていない自発光型ディスプレイを備えた表示装置において、高輝度化および高コントラスト化が図れる自発光型ディスプレイの信号処理回路を提供することを目的とする。
【課題を解決するための手段】
【００９３】
請求項１に記載の発明は、１画素がＲＧＢＷの４つの単位画素から構成されており、ＲＧＢ単位画素には色フィルタが設けられ、Ｗ単位画素には色フィルタが設けられていない自発光型ディスプレイの信号処理回路において、ＲＧＢ入力信号をＲＧＢＷ信号に変換するＲＧＢ−ＲＧＢＷ信号変換手段、ＲＧＢ−ＲＧＢＷ信号変換手段に入力されるＲＧＢ信号と、このＲＧＢ信号に対応するＲＧＢ−ＲＧＢＷ信号変換後のＲＧＢＷ信号のうちのＲＧＢ信号と、所与のゲインとに基づいて、ＲＧＢ−ＲＧＢＷ信号変換手段の入力される上記ＲＧＢ信号に同じ比率を乗じることによって得られるＲＧＢ毎の加算信号であって、かつゲインに比例したＲＧＢ毎の加算信号を算出する加算信号算出手段、ならびに加算信号算出手段によって算出されたＲＧＢ毎の加算信号を、ＲＧＢ−ＲＧＢＷ信号変換後の上記ＲＧＢＷ信号のうちのＲＧＢ信号に加算する加算手段を備えていることを特徴とする。
【００９４】
請求項２に記載の発明は、請求項１に記載の自発光型ディスプレイの信号処理回路において、ＲＧＢ−ＲＧＢＷ信号変換手段の入力されるＲＧＢ信号をＲ１、Ｇ１、Ｂ１とし、このＲＧＢ信号に対応するＲＧＢ−ＲＧＢＷ信号変換後のＲＧＢＷ信号のうちのＲＧＢ信号をＲ２、Ｇ２、Ｂ２とすると、加算信号算出手段は、Ｒ２／Ｒ１、Ｇ２／Ｇ１、Ｂ２／Ｂ１のうちの最大値をとる信号（以下、基準信号という）に対応するＲＧＢ−ＲＧＢＷ信号変換後の信号値を、信号上限値から減算することにより、上記基準信号に対応する加算信号最大値を算出する手段、上記基準信号に対応する加算信号最大値と、Ｒ１、Ｇ１、Ｂ１とに基づいて、他の２つの信号に対応する加算信号最大値を算出する手段、ならびに上記基準信号に対応する加算信号最大値にゲインを乗算することにより、上記基準信号に対する加算信号を算出するとともに、他の信号に対応する加算信号最大値にゲインを乗算することにより、他の信号に対応する加算信号を算出する手段を備えていることを特徴とする。
【００９５】
請求項３に記載の発明は、請求項１に記載の自発光型ディスプレイの信号処理回路において、ＲＧＢ−ＲＧＢＷ信号変換手段の入力されるＲＧＢ信号をＲ１、Ｇ１、Ｂ１とし、このＲＧＢ信号に対応するＲＧＢ−ＲＧＢＷ信号変換後のＲＧＢＷ信号のうちのＲＧＢ信号をＲ２、Ｇ２、Ｂ２とすると、加算信号算出手段は、Ｒ２／Ｒ１、Ｇ２／Ｇ１、Ｂ２／Ｂ１のうちの最大値をとる信号（以下、基準信号という）に対応するＲＧＢ−ＲＧＢＷ信号変換後の信号値を、信号上限値から減算することにより、上記基準信号に対応する加算信号最大値を算出する手段、上記基準信号に対応する加算信号最大値にゲインを乗算することにより、上記基準信号に対応する加算信号を算出する手段、ならびに上記基準信号に対応する加算信号と、Ｒ１、Ｇ１、Ｂ１とに基づいて、他の２つの信号に対応する加算信号を算出する手段を備えていることを特徴とする。
【００９６】
請求項４に記載の発明は、請求項１乃至３に記載の自発光型ディスプレイの信号処理回路において、ゲインが自発光型ディスプレイの周辺の照度に基づいて決定されることを特徴とする。
【００９７】
請求項５に記載の発明は、請求項１乃至３に記載の自発光型ディスプレイの信号処理回路において、ゲインがＲＧＢ−ＲＧＢＷ信号変換手段の入力されるＲＧＢ信号から得られる平均輝度または輝度積算値に基づいて決定されることを特徴とする。
【発明の効果】
【００９８】
この発明によれば、高輝度化および高コントラスト化が図れるようになる。
【発明を実施するための最良の形態】
【００９９】
以下、図面を参照して、この発明の実施例について説明する。
【実施例１】
【０１００】
〔１〕表示装置の構成の説明
図２５は、表示装置の構成を示している。
【０１０１】
有機ＥＬディスプレイ２６としては、図１に示すように、１画素がＲＧＢＷの４つの単位画素で構成されたものが用いられている。デジタルのＲＧＢ入力信号に予めガンマ補正がかけられているものとする。
【０１０２】
逆ガンマ補正回路２１には、予めガンマ補正がかけられているデジタルのＲＧＢ入力信号が入力される。逆ガンマ補正回路２１は、ＲＧＢ入力信号に対して逆ガンマ補正を行うことにより、ＲＧＢ入力信号をガンマ補正前のＲＧＢ信号に変換する。
【０１０３】
逆ガンマ補正回路２１によって得られたＲＧＢ信号は、ＲＧＢ−ＲＧＢＷ信号変換回路２２に送られる。ＲＧＢ−ＲＧＢＷ信号変換回路２２は、ＲＧＢ入力信号をＲＧＢＷ信号に変換する。ＲＧＢ−ＲＧＢＷ信号変換回路２２としては、本出願が既に開発したＲＧＢ−ＲＧＢＷ信号変換回路（例えば、図２３で示す変換処理を行うもの）が用いられる。ＲＧＢ−ＲＧＢＷ信号変換回路２２によって得られたＲＧＢＷ信号は、コントラスト強調回路２３に送られ、コントラスト強調処理が施される。コントラスト強調回路２３によって得られたＲＧＢＷ信号は、ガンマ補正回路２４に送られる。
【０１０４】
ガンマ補正回路２４は、入力されたＲＧＢＷ信号に対して有機ＥＬディスプレイ２６のパネル特性に応じたガンマ補正を行う。ガンマ補正回路２４によって得られたＲＧＢＷ信号は、Ｄ／Ａ変換回路２５によってアナログのＲＧＢＷ信号に変換される。Ｄ／Ａ変換回路２５によって得られたＲＧＢＷ信号は、１画素がＲＧＢＷの４つの単位画素で構成された有機ＥＬディスプレイ２６に送られる。
【０１０５】
〔２〕コントラスト強調回路２３についての説明
【０１０６】
図２６は、コントラスト強調回路２３の構成を示している。
【０１０７】
ここでは、ＲＧＢ−ＲＧＢＷ信号変換回路２２に入力されるＲＧＢ信号をＲＧＢ入力信号と呼び、Ｒ１，Ｇ１，Ｂ１で表すことにする。また、ＲＧＢ−ＲＧＢＷ信号変換回路２２によって変換されたＲＧＢＷ信号のうちのＲＧＢ信号をＲ２，Ｇ２，Ｂ２で表すことにする。また、コントラスト強調回路２３によって得られたＲＧＢＷ信号のうちのＲＧＢ信号をＲ３，Ｇ３，Ｂ３で表すことにする。
【０１０８】
コントラスト強調回路２３は、照度センサ３１、照度演算器３２、ゲイン演算器３３、加算信号算出回路５０、加算器５１、５２、５３を備えている。
【０１０９】
照度センサ３１は、有機ＥＬディスプレイ２６の周囲の照度を検出する。照度演算器３２は、照度センサ３１の検出信号に基づいて照度を算出する。ゲイン演算器３３は、図２７に示す照度−ゲイン変換テーブルに基づいて、照度演算器３２によって算出された照度からゲインαを算出する。照度−ゲイン変換テーブルは、照度が高い程、ゲインαが大きくなるように設定されている。
【０１１０】
加算信号算出回路５０は、ＲＧＢ−ＲＧＢＷ信号変換回路２２に入力されるＲＧＢ入力信号Ｒ１，Ｇ１，Ｂ１、ＲＧＢ入力信号Ｒ１，Ｇ１，Ｂ１に対するＲＧＢ−ＲＧＢＷ信号変換後のＲＧＢ信号Ｒ２，Ｇ２，Ｂ２およびゲインαに基づいて変換後のＲＧＢ信号Ｒ２，Ｇ２，Ｂ２に対する加算信号ΔＲ、ΔＧ、ΔＢを算出する。
【０１１１】
加算器５１は、信号Ｒ２に加算信号ΔＲを加算する。加算器５２は、信号Ｇ２に加算信号ΔＧを加算する。加算器５３は、信号Ｂ２に加算信号ΔＢを加算する。
【０１１２】
加算信号算出回路５０によって行われる処理について説明する。
【０１１３】
ＲＧＢ入力信号が図２８に示すようにＲ１＝２５５，Ｇ１＝２５５，Ｂ１＝５０であるとし、ＲＧＢ−ＲＧＢＷ信号変換回路２２によって得られたＲＧＢＷ信号が図２９に示すようにＲ２＝８０，Ｇ２＝５，Ｂ２＝０、Ｗ＝２５５であるとする。
【０１１４】
加算信号の求め方について説明する。加算信号の求め方については、第１方法と第２方法とがある。
【０１１５】
第１方法について説明する。まず、ＲＧＢ入力信号Ｒ１，Ｇ１，Ｂ１に同じ比率を乗ずることによって得られる加算信号ΔＲ’，ΔＧ’，ΔＢ’であって、信号Ｒ２，Ｇ２，Ｂ２に加算信号を加算した場合に、全ての信号が上限値（信号が取りうる最大値：２５５）以下であり、少なくとも１つの信号が上限値となるような加算信号（加算信号最大値）ΔＲ’，ΔＧ’，ΔＢ’を求める。そして、得られた加算信号最大値ΔＲ’，ΔＧ’，ΔＢ’それぞれにゲインαを乗じることにより、最終的な加算信号ΔＲ，ΔＧ，ΔＢを求める。
【０１１６】
具体的には、Ｒ２／Ｒ１、Ｇ２／Ｇ１、Ｂ２／Ｂ１のうちの最大値をとる信号を、最大化させるような加算信号を算出する。
【０１１７】
上記の例では、Ｒ２／Ｒ１＝８０／２５５＝０．３１、Ｇ２／Ｇ１＝５／２５５＝０．０２、Ｂ２／Ｂ１＝０／５０＝０であるので、Ｒ信号を最大化するように信号Ｒ２に対する加算信号最大値ΔＲ’を算出する。つまり、ΔＲ’＝上限値−Ｒ２＝２５５−８０＝１７５となる。ΔＲ’，ΔＧ’，ΔＢ’は、ＲＧＢ入力信号Ｒ１，Ｇ１，Ｂ１に同じ比率を乗算した加算信号であるので、信号Ｇ２および信号Ｂ２に対する加算信号最大値ΔＧ’およびΔＢ’は、次式（１４）、（１５）に基づいて算出される。
【０１１８】
ΔＧ’＝ΔＲ’／Ｒ１×Ｇ１    …（１４）
ΔＢ’＝ΔＲ’／Ｒ１×Ｂ１    …（１５）
【０１１９】
上記の例では、ΔＧ’＝１７５／２５５×２５５＝１７５となり、ΔＢ’＝１７５／２５５×５０＝３４となる。
【０１２０】
そして、最終的な加算信号ΔＲ，ΔＧ，ΔＢは、次式（１６）、（１７）、（１８）に基づいて算出される。
【０１２１】
ΔＲ＝α×ΔＲ’    …（１６）
ΔＧ＝α×ΔＧ’    …（１７）
ΔＢ＝α×ΔＢ’    …（１８）
【０１２２】
例えば、α＝０．５とすると、上記の例では、ΔＲ＝８８、ΔＧ＝８８、ΔＢ＝１７となる。
【０１２３】
コントラスト強調回路２３から出力されるＲＧＢ信号Ｒ３，Ｇ３，Ｂ３は、それぞれＲ３＝Ｒ２＋ΔＲ、Ｇ３＝Ｇ２＋ΔＧ、Ｂ３＝Ｂ２＋ΔＢで表される。したがって、上記の例では、Ｒ３＝８０＋８８＝１６８、Ｇ３＝５＋８８＝９３、Ｂ３＝０＋１７＝１７となり、Ｗはそのままであるので、コントラスト強調回路２３から出力されるＲＧＢＷ信号は、図３０に示すようになる。
【０１２４】
第２方法について説明する。まず、Ｒ２／Ｒ１、Ｇ２／Ｇ１、Ｂ２／Ｂ１のうちの最大値をとる信号を、最大化させるような加算信号を算出する。
【０１２５】
上記の例では、Ｒ２／Ｒ１＝８０／２５５＝０．３１、Ｇ２／Ｇ１＝５／２５５＝０．０２、Ｂ２／Ｂ１＝０／５０＝０であるので、Ｒ信号を最大化するように信号Ｒ２に対する加算信号最大値ΔＲ’を算出する。つまり、ΔＲ’＝２５５−Ｒ２＝２５５−８０＝１７５となる。
【０１２６】
次に、得られた加算信号最大値ΔＲ’にゲインαを乗算することによって加算信号ΔＲを算出する。つまり、ΔＲ＝α×ΔＲ’を算出する。α＝０．５とすると、上記の例では、ΔＲ＝８８となる。
【０１２７】
次に、次式（１９）、（２０）により、ΔＧ、ΔＢを算出する。
【０１２８】
ΔＧ＝ΔＲ／Ｒ１×Ｇ１    …（１９）
ΔＢ＝ΔＲ／Ｒ１×Ｂ１    …（２０）
【０１２９】
上記の例では、ΔＲ＝８８であるので、ΔＧ＝８８／２５５×２５５＝８８、ΔＢ＝８８／２５５×５０＝１７となる。
【０１３０】
〔３〕コントラスト強調回路２３の第１変形例についての説明
図３１は、コントラスト強調回路２３の第１変形例を示している。図３１において、図２６と同じものには、同じ符号を付してある。
【０１３１】
このコントラスト強調回路２３では、ゲインαの算出方法が図２６のコントラスト強調回路２３と異なっている。つまり、ゲインαは、平均輝度算出回路４１とゲイン演算器４２とによって算出される。
【０１３２】
平均輝度算出回路４１は、ＲＧＢ−ＲＧＢＷ信号変換回路２２に入力されるＲＧＢ信号（ＲＧＢ入力信号）Ｒ１，Ｇ１，Ｂ１に基づいて、１フレーム毎の平均輝度を算出する。つまり、平均輝度算出回路４１は、ＲＧＢ入力信号の１フレーム分の総和を画素数の３倍で除算することにより、平均輝度を算出する。ゲイン演算器４２は、図３２に示す平均輝度−ゲイン変換テーブルに基づいて、平均輝度算出回路４１によって算出された平均輝度からゲインαを算出する。平均輝度−ゲイン変換テーブルは、平均輝度が高い程、ゲインαが大きくなるように設定されている。      
【０１３３】
加算信号算出回路５０による処理は、図２６の加算信号算出回路５０による処理と同じであるので、その説明を省略する。
【０１３４】
なお、平均輝度の代わりに、輝度積算値を用いてもよい。また、映像ヒトスグラム分析を行ない、標準偏差、最大値、最小値などを考慮してゲインを決定してもよい。また、ゲインを１フレーム毎に切り替えると、色や輝度のチラツキが発生する可能性があるので、時間方向にゲインを緩やかに変化させるための手段を設けるようにしてもよい。
【０１３５】
〔４〕コントラスト強調回路２３の第２変形例についての説明
【０１３６】
図３３は、コントラスト強調回路２３の第２変形例を示している。図３１において、図２６と同じものには、同じ符号を付してある。
【０１３７】
このコントラスト強調回路２３では、ゲインαの算出方法が図２６のコントラスト強調回路２３と異なっている。つまり、ゲインαは、照度センサ３１、照度演算器３２、平均輝度算出回路４１およびゲイン演算器４３とによって算出される。
【０１３８】
照度センサ３１は、有機ＥＬディスプレイ２６の周囲の照度を検出する。照度演算器３２は、照度センサ３１の検出信号に基づいて照度を算出する。平均輝度算出回路４１は、ＲＧＢ−ＲＧＢＷ信号変換回路２２に入力されるＲＧＢ信号（ＲＧＢ入力信号）Ｒ１，Ｇ１，Ｂ１に基づいて、１フレーム毎の平均輝度を算出する。つまり、平均輝度算出回路４１は、ＲＧＢ入力信号の１フレーム分の総和を画素数の３倍で除算することにより、平均輝度を算出する。
【０１３９】
ゲイン演算器４３は、図３４に示す変換テーブルに基づいて、照度演算器３２によって算出された照度および平均輝度算出回路４１によって算出された平均輝度からゲインαを算出する。変換テーブルは、照度が高く平均輝度が高い程、ゲインαが大きくなるように設定されている。      
【０１４０】
加算信号算出回路５０による処理は、図２６の加算信号算出回路５０による処理と同じであるので、その説明を省略する。
【図面の簡単な説明】
【０１４１】
【図１】１画素がＲ，Ｇ，Ｂ，Ｗの４つの単位で構成されている例を示す模式図である。
【図２】表示装置の構成を示すブロック図である。
【図３】ＲＧＢ入力信号の一例を示す模式図である。
【図４】ｍｉｎ（ＲＧＢ）を示す模式図である。
【図５】入力信号−ｍｉｎ（ＲＧＢ）を示す模式図である。
【図６】Ｗt （２５５）を表現するためのＲＧＢＷの信号比を示す模式図てある。
【図７】Ｗt （１００）を実現するためのＲＧＢＷの信号比を示す模式図てある。
【図８】図５のＲＧＢ値と図７のＲＧＢＷ値とを加算することにより、求められたＲＧＢＷ値を示す模式図である。
【図９】パネル調整処理手順を示すフローチャートである。
【図１０】ＲＧＢＷの色度座標（ｘR ，ｙR ），（ｘG ，ｙG ），（ｘB ，ｙB ），（ｘW ，ｙW ）と、目標の白Ｗt の色度座標（ｘWt，ｙWt  ）とを示す模式図である。
【図１１】ＲＧＢ入力信号をＲＧＢＷ信号に変換するための信号変換処理の手順を示すフローチャートである。
【図１２】ＲＧＢ入力信号をＲＧＢＷ信号に変換するための信号変換処理の他の例を示すフローチャートである。
【図１３】ＲＧＢ入力信号の一例を示す模式図である。
【図１４】ＲＧＢ入力信号−ｍｉｎ（ＲＧＢ）を示す模式図である。
【図１５】ｍｉｎ（ＲＧＢ）を示す模式図である。
【図１６】ｍｉｎ（ＲＧＢ）に対応するＲＧＢＷ信号を示す模式図である。
【図１７】図１４のＲＧＢ値と図１６のＲＧＢＷ値とを加算することにより、求められたＲＧＢＷ値を示す模式図である。
【図１８】得られたＲＧＢＷ信号をＲ1 Ｇ1 Ｂ1 Ｗ1 入力信号とした場合の、Ｒ1 Ｇ1 Ｂ1 Ｗ1 入力信号を示す模式図である。
【図１９】Ｒ1 Ｇ1 Ｂ1 入力信号−ｍｉｎ（Ｒ1 Ｇ1 Ｂ1 ）を示す模式図である。
【図２０】ｍｉｎ（Ｒ1 Ｇ1 Ｂ1 ）を示す模式図である。
【図２１】ｍｉｎ（Ｒ1 Ｇ1 Ｂ1 ）に対応するＲＧＢＷ信号を示す模式図である。
【図２２】図１９のＲ1 Ｇ1 Ｂ1 値と図２１のＲ1 Ｇ1 Ｂ1 Ｗ1 値とを加算することにより、求められたＲＧＢＷ値を示す模式図である。
【図２３】ＲＧＢ入力信号をＲＧＢＷ信号に変換するための信号変換処理のさらに他の例を示すフローチャートである。
【図２４】表示装置の構成を示すブロック図である。
【図２５】本実施例による表示装置の構成を示すブロック図である。
【図２６】図２５のコントラスト強調回路の構成を示すブロック図である。
【図２７】照度−ゲイン変換テーブルの内容を示す模式図である。
【図２８】ＲＧＢ−ＲＧＢＷ変換回路２２への入力されるＲＧＢ信号の一例を示す模式図である。
【図２９】図２８に示すＲＧＢ信号に対して、ＲＧＢ−ＲＧＢＷ変換処理が行われた後のＲＧＢＷ信号を示す模式図である。
【図３０】図２９に示すＲＧＢＷ信号に対して、コントラスト強調処理が施された後のＲＧＢＷ信号を示す模式図である。
【図３１】コントラスト強調回路の他の例を示すブロック図である。
【図３２】平均輝度−ゲイン変換テーブルの内容を示す模式図である。
【図３３】コントラスト強調回路のさらに他の例を示すブロック図である。
【図３４】平均輝度−ゲイン変換テーブルの内容を示す模式図である。
【符号の説明】
【０１４２】
２１  逆ガンマ補正回路
２２  ＲＧＢ−ＲＧＢＷ信号変換回路
２３  コントラスト強調回路
２４  ガンマ補正回路
２５  Ｄ／Ａ変換回路
２６  有機ＥＬディスプレイ
３１  照度センサ
３２  照度演算器
３３、４２、４３  ゲイン演算器
４１  平均輝度算出回路
５０  加算信号算出回路
５１、５２、５３  乗算器
【図１】
2006163068.tif 000005
【図２】
2006163068.tif 000006
【図３】
2006163068.tif 000007
【図４】
2006163068.tif 000008
【図５】
2006163068.tif 000009
【図６】
2006163068.tif 000010
【図７】
2006163068.tif 000011
【図８】
2006163068.tif 000012
【図９】
2006163068.tif 000013
【図１０】
2006163068.tif 000014
【図１１】
2006163068.tif 000015
【図１２】
2006163068.tif 000016
【図１３】
2006163068.tif 000017
【図１４】
2006163068.tif 000018
【図１５】
2006163068.tif 000019
【図１６】
2006163068.tif 000020
【図１７】
2006163068.tif 000021
【図１８】
2006163068.tif 000022
【図１９】
2006163068.tif 000023
【図２０】
2006163068.tif 000024
【図２１】
2006163068.tif 000025
【図２２】
2006163068.tif 000026
【図２３】
2006163068.tif 000027
【図２４】
2006163068.tif 000028
【図２５】
2006163068.tif 000029
【図２６】
2006163068.tif 000030
【図２７】
2006163068.tif 000031
【図２８】
2006163068.tif 000032
【図２９】
2006163068.tif 000033
【図３０】
2006163068.tif 000034
【図３１】
2006163068.tif 000035
【図３２】
2006163068.tif 000036
【図３３】
2006163068.tif 000037
【図３４】
2006163068.tif 000038